(57)【要約】      （修正有）【課題】オールインワンのＧＰＲカードを提供する。【解決手段】ＧＰＲカード１０は、伝送ユニット１５、記憶ユニット１６、支払いユニット１７、ディスプレイ１１、操作インタフェース１２、充電式電池１８及びマイクロプロセッサ１９を含む。伝送ユニットは、他のスマートデバイスに接続して取得した複数の資金供給源を記憶ユニットに記憶する。資金供給源は、ユーザが所持する各種取引カードのデジタルデータである。ディスプレイ及び操作インタフェースにより、ユーザに資金供給源をプリセット資金オプションとして選択決定させ、プリセット資金オプションをユーザが予めロードした複数のデジタルデータのサードパーティＡＰＩサービスプロバイダに提供し、支払いユニットは固定カード番号を販売拠点に提供する。マイクロプロセッサは、ＧＰＲカードの他の全ての部材を管理する。【選択図】図１
2020013423.tif 000002
【特許請求の範囲】
【請求項１】
固定カード番号を有するオールインワンのＧＰＲカードであって、
スマートデバイスに接続でき、該スマートデバイス中に保存されてユーザが入力した各種異なる取引カードのうちの何れか一種のデジタルデータである複数の資金供給源を取得する少なくとも１つの伝送ユニットと、
該複数の資金供給源を保存する記憶ユニットと、
該ＧＰＲカード表面に設置され、該複数の資金供給源を表示できるディスプレイと、
該ＧＰＲカード表面に設置され、該ユーザに該ディスプレイが表示する複数の資金供給源のうちの１つを選択させる操作インタフェースと、
該固定カード番号を販売拠点に提供できる複数の支払いユニットと、
充電式電池と、
該少なくとも１つの伝送ユニット、記憶ユニット、複数の支払いユニット、ディスプレイ、操作インタフェース及び充電式電池の間に電気接続されるマイクロプロセッサと、
を含み、
該ユーザが決定した資金供給源をプリセット資金オプションとし、該プリセット資金オプションを該ユーザが予めロードした異なる取引カードの複数のデジタルデータを有するサードパーティＡＰＩサービスプロバイダに提供することを特徴とするオールインワンのＧＰＲカード。
【請求項２】
前記ユーザは、該ＧＰＲカードに選択を行い、該スマートデバイス中に実装したアプリケーションプログラムに接続することによって、該プリセット資金オプションを間接的に該サードパーティＡＰＩサービスプロバイダに提供する請求項１に記載のオールインワンのＧＰＲカード。
【請求項３】
該サードパーティＡＰＩサービスプロバイダは、該プリセット資金オプションに符合するデジタルデータをプリセットデジタルデータに設定し、該プリセットデジタルデータの対応する発行機構へ接続することができ、取引金額を支払う引き落としリクエストを伝送する請求項１に記載のオールインワンのＧＰＲカード。
【請求項４】
前記少なくとも１つの伝送ユニットは、ＢＬＥ無線ブルートゥース（登録商標）アンテナ、ＥＭＶチップ的ＮＦＣアンテナ及び／又はＬＴＥ  ＳＩＭカードを含む請求項１に記載のオールインワンのＧＰＲカード。
【請求項５】
前記複数の支払いユニットは、磁気ストリップ、ＥＭＶチップ及びＬＴＥ  ＳＩＭカードを含む請求項１に記載のオールインワンのＧＰＲカード。
【請求項６】
前記ディスプレイ及び操作インタフェースにより該ユーザが直接選択を行うことができるタッチスクリーンを構成する請求項１に記載のオールインワンのＧＰＲカード。
【発明の詳細な説明】
【技術分野】
【０００１】
本発明は、金融取引に使用する汎用リロードカードに関し、特に、ユーザが全てのタイプの取引カードを一枚のカードに統合し、自ら選択使用できるオールインワンのＧＰＲカードに関する。
【背景技術】
【０００２】
２１世紀の進展に伴い、益々多くのクレジットカード、デビットカード、ギフトカード及び会員カードが世界各地で普遍的に使用されている。典型的な使用例では、身辺に複数のカードを有し、手元に多くのカードがあるものの、それらの使用状況を追跡し難いという問題があることにある。多くの使用者が友人や家族からのギフトカードを受け取るが、このタイプのカードは、特に追跡し難い。多くのこのタイプのカードは、設定条件下で運用できるのみである。ギフトカードの使用期限が長くなるにつれ、取得後に比較的短時間内で使用しなければ、それらが忘れられるか、なくされることがある。
【０００３】
明らかに、スマートデバイス又はスマートフォン上で如何なるタイプのカードも全て１つのアプリケーションプログラム中に併合し、ユーザに予め設定した複数の資金源によって単一の固定カード番号のＧＰＲカードに資金を提供させることができる１つのプラットフォームが必要である。
【先行技術文献】
【特許文献】
【０００４】
【特許文献１】特公表２０１５−５３４１６８号公報
【特許文献２】特開２００９−５５１２７号公報
【発明の概要】
【発明が解決しようとする課題】
【０００５】
本発明の目的は、ユーザ身辺に所有する各種異なるタイプのカードの取引カード（例えば、クレジットカード、デビットカード、ギフトカード、キャッシュカード、会員カード等）を単一のＧＰＲカードに統合し、ユーザが自分で使用限度額、地域又は優待等の異なる要求に基づき、複数の取引カードの資金供給源に対して選択、切り換えを行うことができる固定カード番号のＧＰＲカードを提供することにある。
【０００６】
本発明のもう１つの目的は、取引カードの種類の選択又は切り換えが何れもＧＰＲカードにおいて独立して完成でき、別途スマートデバイスを取り出して２回の作業を行う必要がなく、簡易化されたオールインワンの決済フローで取引作業の時間を短縮することにある。
【課題を解決するための手段】
【０００７】
前記目的を実現する為、本発明オールインワンのＧＰＲカードは、固定カード番号を有し、伝送ユニット、記憶ユニット、ディスプレイ、操作インタフェース、複数の支払いユニット、充電式電池、マイクロプロセッサを含む。
【０００８】
上記の伝送ユニットは、スマートデバイスに接続でき、該スマートデバイスに保存されてユーザが入力した各種異なる取引カードのうちの何れか一種のデジタルデータである複数の資金供給源を取得する。可能な実施例において、該伝送ユニットは、ＢＬＥ無線ブルートゥース（登録商標）アンテナ、ＥＭＶチップのＮＦＣアンテナ及び／又はＬＴＥ  ＳＩＭカード／ＬＴＥカード／チップを含む。
【０００９】
また、該記憶ユニットは、該複数の資金供給源を保存することに用いられ、該ディスプレイは、該該ＧＰＲカード表面に設置され、該複数の資金供給源を表示し、該操作インタフェースは、同様に該ＧＰＲカード表面に設置され、該ユーザに該ディスプレイにより表示された複数の資金供給源のうち何れか１つを選択させることができる。
【００１０】
また、該複数の支払いユニットは、該固定カード番号を販売拠点に提供し、好適実施例において、該複数の支払いユニットは、磁気ストリップ、ＥＭＶチップ及びＬＴＥ  ＳＩＭカード／ＬＴＥカード／チップを含み、該マイクロプロセッサは、該少なくとも１つの伝送ユニット、記憶ユニット、複数の支払いユニット、ディスプレイ、操作インタフェース及び充電式電池に電気的に接続される。
【００１１】
該ＧＰＲカードは、ユーザが決定した資金供給源をプリセット資金オプションとし、該プリセット資金オプションを該ユーザが予めロードした異なる取引カードの複数のデジタルデータを有するサードパーティＡＰＩサービスプロバイダに提供する。
【００１２】
可能な実施例において、該ユーザは、該ＧＰＲカード上で選択を行い、該スマートデバイスに実装したアプリケーションプログラムに接続することによって、該プリセット資金オプションを間接的に該サードパーティＡＰＩサービスプロバイダに提供する。
【００１３】
該サードパーティＡＰＩサービスプロバイダは、該プリセット資金オプションに符合するデジタルデータをプリセットデジタルデータとして設定し、該プリセットデジタルデータの対応する発行機構へ接続することができ、取引金額を支払う引き落としリクエストを伝送することができる。
【発明の効果】
【００１４】
本発明の利点は、ＧＰＲカードが資金供給源を記憶し、ディスプレイ及び操作インタフェースによってユーザに資金供給源選択の直接操作を行わせ、資金供給源の切り換えを単独でＧＰＲカード上で完成させることができ、簡易化されたオールインワンの決済フローによって取引作業の時間を短縮することである。
【図面の簡単な説明】
【００１５】
【図１】本発明のＧＰＲカードの構造図である。
【図２】本発明のＧＰＲカードの固定カード番号の番号説明図である。
【図３】スマートデバイスを使用してデジタルデータを本発明のＧＰＲカード及びサードパティＡＰＩサービスプロバイダに作成するシステム説明図である。
【図４】本発明のＧＰＲカードがプリセット資金供給源を使用して取引決済を行うシステム説明図である。
【図５】本発明のＧＰＲカードを使用してプリセット資金供給源を変更するシステム説明図である。
【発明を実施するための形態】
【００１６】
本発明の構造、使用及びその特徴に対して更に明確に理解させるため、好適実施例を挙げ、図面を合わせて以下に詳細を説明する。
【００１７】
図１を参照する。
本発明のオールインワンのＧＰＲカード１０（Ｇｅｎｅｒａｌ  Ｐｕｒｐｏｓｅ  Ｒｅｌｏａｄａｂｌｅ  Ｃａｒｄ，汎用リロードカード）は、ユーザに自身が所有する取引カードを統合管理する。
該ＧＰＲカード１０の表面にディスプレイ１１、操作インタフェース１２、計１６桁の数字の固定カード番号１３及びＥＭＶチップ１４を有し、図に示すように、該ディスプレイ１１は、カラータッチスクリーン１１１を配備し、且つ該カラータッチスクリーン１１１の下方に複数のプッシュボタン１２１を設け、該操作インタフェース１２を共同で構成し、該ユーザにスクリーンをクリック又はプッシュボタン１２１を押圧させて選択を行わせる。
【００１８】
しかしながら、以上の構成は、説明の便宜上のためであってこれらの例に制限を加えるものではなく、例えば、該ディスプレイ１１は、白黒スクリーンを配備し、複数のプッシュボタン１２１により自ら操作インタフェース１２を構成してもよく、又は単一のカラータッチスクリーン１１１を配備してインタフェース１２及びディスプレイ１１の両者の機能を構成してもよい。
【００１９】
図２を参照する。
該固定カード番号１３は、１６桁の数字コードであり、左から右へ数字第１コードが業界識別コード（ＭＩＩ，Ｍａｊｏｒ  Ｉｎｄｕｓｔｒｙ  Ｉｄｅｎｔｉｆｉｅｒ）を表し、第１〜６コードが発行者識別コード（Ｉｓｓｕｅｒ  Ｉｄｅｎｔｉｆｉｃａｔｉｏｎ  Ｎｕｍｂｅｒ，ＩＩＮ）又は銀行識別コード（Ｂａｎｋ  ｉｄｅｎｔｉｆｉｃａｔｉｏｎ  Ｎｕｍｂｅｒ，ＢＩＮ）を表し、第７〜１５コードがアカウント識別コード／番号（Ａｃｃｏｕｎｔ  Ｉｄｅｎｔｉｆｉｅｒ／Ｎｕｍｂｅｒ）を表し、第１６コードがチェックサム（Ｃｈｅｃｋｓｕｍ）を表す。
このように、該固定カード番号１３の発行識別番号によって発行者を識別し、該発行者がアカウント識別番号によって確立されたＧＰＲカードアカウントを得る。
【００２０】
再度図１を参照する。
該ＧＰＲカード１０内部に、少なくとも１つの伝送ユニット１５、複数の支払いユニット１６、記憶ユニット１７、充電式電池１８及びマイクロプロセッサ１９を配備し、該伝送ユニット１５は、スマートデバイス３０（例えば、携帯電話、タブレットＰＣ、又はパソコン）に接続でき、該スマートデバイス３０中に保存する複数の資金供給源４０を取得し、該資金供給源４０は、ユーザが該スマートデバイス３０において先行入力する各種異なる取引カードのうち何れか１つのデジタルデータであり、図に示すように、該少なくとも１つの伝送ユニット１５は、ＢＬＥブルートゥース（登録商標）アンテナ２０、上記ＥＭＶチップ１４のＮＦＣアンテナ２１及びＬＴＥ  ＳＩＭカード２２／ＬＴＥカード／チップを含む。
【００２１】
また、該支払いユニット１６は、該ＧＰＲカード１０の固定カード番号１３を販売拠点５０（Ｐｏｉｎｔ  ｏｆ  Ｓｅｒｖｉｃｅ，ＰＯＳ）に伝送提供し、図に示すように、該ＧＰＲカード１０は、多種の支払い技術の固定カード番号を有する１つのカードとして設けられ、該複数の支払いユニット１６は、それぞれ磁気ストリップ２３、ＥＭＶチップ１４及びＬＴＥ  ＳＩＭカード２２として設けることができる。
しかしながら、これら説明は、単に説明のための例示であって、伝送ユニット１５及び支払いユニット１６の態様をこれらの例に限定するものではない。該記憶ユニット１７は、該複数の資金供給源４０を記憶することに用いられる。
【００２２】
該充電式電池１８は、現在市販されて使用されている適宜の充電手段を用いることができ、例えば、例示された充電式電池１８は、ＧＰＲカード１０表面に嵌合設置するナノソーラーパネルによって充電を行うか、或いは、該ＧＰＲカード１０外側に位置するマイクロ充電ポートを配備して充電を行うか、又は、該充電式電池１８は、センシングコイルを配備して無線充電を行うものでもよい。
【００２３】
該マイクロプロセッサ１９は、該ディスプレイ１１、該操作インタフェース１２、該伝送ユニット１５、該等複数の支払いユニット１６、該記憶ユニット１７及び該充電式電池１８に電気的に接続され、該マイクロプロセッサ１９は、該ＢＬＥブルートゥース（登録商標）アンテナ２０、ＬＴＥ  ＳＩＭカード２２、カラータッチスクリーン１１１、磁気ストリップ２３、ＮＦＣアンテナ２１、ＥＭＶチップ１４、複数プッシュボタン１２１等のその他の素子の間の信号伝達を管理するために用いられる。
【００２４】
図３を参照する。
本発明のＧＰＲカード１０の複数伝送ユニット１５は、無線通信技術の第１経路２４又は第２経路２５を介して該スマートデバイス３０と接続し、図に示すように、該第１経路２４は、ＢＬＥブルートゥース（登録商標）通信経路を採用し、該第２経路２５は、ＬＴＥ  ＳＩＭカード通信経路を採用し、該ＧＰＲカード１０に直接又は間接的にセルラネットワーク、支払いトラック６０及び該スマートデバイス３０内のアプリケーションプログラム３１の何れか１種の方式でインターネット、エージェントサーバ又はクラウド端末に通信させる。
【００２５】
該スマートデバイス３０は、スマート金融管理のアプリケーションプログラム３１（Ａｐｐｌｉｃａｔｉｏｎ，ＡＰＰ）をロード又はインストールし、且つ該スマートデバイス３０のアプリケーションプログラム３１は、インターネット又はセルラネットワーク経路の第３経路２６を介してサードパーティＡＰＩサービスプロバイダ７０に接続する。
【００２６】
該アプリケーションプログラム３１は、ユーザに所有する各種タイプの取引カードの資金供給源４０を追加することができる。該資金供給源４０は、銀行アカウント、チェックアカウント、クレジットカードアカウント、更にはパスワード通貨を含む。
【００２７】
好適実施例において、ユーザは、アプリケーションプログラム３１において、直接、該取引カードの１６桁の数字カード番号を手動で入力することで所有のカードを手動で追加できる。他の可能な実施例において、ユーザは、各種の取引カード、例えば、Ｖｉｓａカード、Ｍａｓｔｅｒカード及びアメリカンエキスプレスカード（以上、登録商標）等を直接イメージ入力し、該アプリケーションプログラム３１の資金供給源４０を自動追加する。また、他の可能な実施例において、ユーザは、バーコードをスキャンして該アプリケーションプログラム３１の資金供給源４０を自動追加し、該バーコードは、該スマートデバイス３０に内蔵のカメラ又はバーコードリーダにより読み取ることもできる。
【００２８】
ユーザは、該ＧＰＲカード１０を使用してその他の所有する各種異なるタイプの取引カードを併合する場合、先ず、１６桁の数字の固定カード番号１３を使用して、該ＧＰＲカード１０を起動する必要があり、起動方式は、アプリケーションプログラム３１、ウェブサイト、電話、ショートメッセージ、Ｅｍａｉｌ又はその他の既知技術のうち何れかの技術を利用することができる。この実施例において、本発明のＧＰＲカード１０は、該スマートデバイス３０のアプリケーションプログラム３１により起動され、該ＧＰＲカード１０をアクティブ状態にさせて使用を準備させることができる。
【００２９】
その後、ユーザは、該資金供給源４０とする全ての取引カードのデジタルデータ及び該ＧＰＲカード１０の固定カード番号１３を該アプリケーションプログラム３１に追加し、且つ該アプリケーションプログラム３１において、予めそのうち１つの資金供給源４０をプリセット資金オプション４１に設定する。
一旦、該プリセット資金オプション４１の設定を完成すると、ユーザは、後に行う取引決済過程で、単に該ＧＰＲカード１０を操作して該資金供給源４０の選択を行うだけで、異なる使用要求又は標準に応じて対応した資金供給源４０を便利に切り換えることができ、該スマートデバイス３０のアプリケーションプログラム３１を別途開いて資金供給源４０を改めて設定する必要がない。
【００３０】
また、該サードパーティＡＰＩサービスプロバイダ７０は、複数のアプリケーションプログラムインタフェース（ＡＰＩ）を提供する。アプリケーションプログラムインタフェースは、アプリケーションプログラムソフトウェアの一組のサブプログラム定義、プロトコル及びツールを構築することに用いられる。一般的に、それは、各種ソフトウェアコンポーネントの間の明確に定義された一組の通信方法である。ＡＰＩは、ウェブページシステム、オペレーティングシステム及びパソコンのハードウェア、ソフトウェアライブラリに用いることができる。
【００３１】
該サードパーティＡＰＩサービスプロバイダ７０は、各ユーザが所有するＧＰＲカード１０の固定カード番号１３に基づき、該ＧＰＲカードアカウント７１の開設を行い、該アプリケーションプログラム３１に入力した全ての資金供給源４０及び該プリセット資金オプション４１の両者に対応してそれぞれ該ＧＰＲカードカウント７１に全てのユーザを統合したデータベースシステムを形成し、該サードパーティＡＰＩサービスプロバイダ７０にユーザが予めロードした異なる取引カードをもたせる複数のデジタルデータを保存する。各ユーザに該サードパーティＡＰＩプラットフォームサービスプロバイダ１１１によって更に柔軟性をもたせ、即時に該ＧＰＲカード１０の資金供給源４０を即時にカスタマイズさせる。
【００３２】
図４を参照する。
ユーザが商品購入を予定し、且つ予めロードしたアプリケーションプログラム３１中のＶｉｓａカードを使用することを決定し、ユーザは、商品販売箇所の販売拠点５０で該ＧＰＲカード１０を取り出して決済を行う。
【００３３】
該ＧＰＲカード１０は、後に説明する三種の技術における何れか一種を使用して取引を起動し、第２種の方式は、該ＥＭＶチップ１４を販売拠点５０のカード読取装置に挿入し、接触式取引を起動するものであり、第３種の方式は、該ＮＦＣアンテナ２１を使用して距離通信装置付近でセンシングして非接触式取引を起動する。
【００３４】
後続の該販売拠点５０は、経路通信ネットワークにおける支払いトラック６０によって資金供給源４０を探し、この時、販売拠点５０は、該ＧＰＲカード１０の１６桁の数字情報に基づき、該支払いトラック６０に案内される該サードパーティＡＰＩサービスプロバイダ７０のデータベースシステム中の資金供給源４０を探し、該サードパーティＡＰＩサービスプロバイダ７０は、該データベースシステム中のプリセット資金オプション４１に基づき、発行機構に対応したＶｉｓａカードアカウントに取引金額の引き落としを行い、該引き落としを該ＧＰＲカードアカウント７１に加える。該ＧＰＲカードアカウント７１は、一旦、該ユーザのＶｉｓａカードアカウントから取引金額を取得し、該サードパーティＡＰＩサービスプロバイダ７０は、該支払いトラック６０によって該販売拠点５０に対して取引金額を提供し、この項は、Ｖｉｓａカードアカウント及びＧＰＲカードアカウント７１からの引き落としの取引は、２００μｓの短時間で完成でき、且つ取引完成後、該ＧＰＲカードアカウント７１中に如何なる残額でも使用上の安全性を大幅に向上させる。
【００３５】
図５を参照する。
該ユーザが元々Ｖｉｓａカードをプリセット資金オプション４１として設定し、ユーザがＭａｓｔｅｒカードであればお得になる他の商品を購入する時、Ｍａｓｔｅｒカードがプリセット資金オプション４１ではないため、該ユーザが該ＧＰＲカード１０のカラータッチスクリーン１１１においてＭａｓｔｅｒカードを資金供給源４０として選択する必要がある。該ユーザがプッシュボタン１２１を介して該カラータッチスクリーン１１１に表示される複数の資金供給源４０の情報を変更し、Ｍａｓｔｅｒカードまで視線の範囲に出現させ、後続に該カラータッチスクリーン１１１をクリックするかプッシュボタン１２１を押圧し、Ｍａｓｔｅｒカードをプリセット資金オプション４１として選択設定する。
【００３６】
一旦該ユーザがＭａｓｔｅｒカードを資金供給源４０として選択すると、可能な実施例において、該ＧＰＲカード１０は、新たに選択した該プリセット資金オプション４１を、該ＢＬＥブルートゥース（登録商標）アンテナ２０の第１経路２４又はＬＴＥ  ＳＩＭカード２２の第２経路２５を介して該スマートデバイス３０に伝送し、該スマートデバイス３０のアプリケーションプログラム３１が該プリセット資金オプション４１を受け取った後、該資金を該スマートデバイス３０のセルラネットワーク又はＷｉ−Ｆｉホットスポットを選択して該サードパーティＡＰＩサービスプロバイダ７０に伝送させる。可能な実施例において、該プリセット資金オプション４１は、上記GPRカード１０に内蔵のＬＴＥ  ＳＩＭカード２２によって第４経路２７を介して該サードパーティＡＰＩサービスプロバイダ７０に直接伝送する。
【００３７】
該サードパーティＡＰＩサービスプロバイダ７０は、該ＧＰＲカード１０又はスマートデバイス３０から該プリセット資金オプション４１の変更及び固定カード番号１３を受け取った後、該データベースシステム中で該固定カード番号１３に対応するＧＰＲカードアカウント７１を探し、該ＧＰＲカードアカウント７１中の元のプリセット資金オプション４１のＶｉｓａカードを新たな設定に符合するプリセット資金オプション４１Ｍａｓｔｅｒカードに変更する。
【００３８】
資金供給源４０は、ＶｉｓａカードからＭａｓｔｅｒカードへの変更が済んだ後、ユーザは、販売拠点５０で前記三種の方式の何れか１つを採用して後続の決済を行う時、該販売拠点５０と同様に該支払いトラック６０により該サードパーティＡＰＩサービスプロバイダ７０と通信して資金供給源４０を探す。該サードパーティＡＰＩサービスプロバイダ７０は、Ｍａｓｔｅｒカードに変更したプリセット資金オプション４１に基づいて、対応する発行機構８０のＭａｓｔｅｒカードアカウントに取引金額の引き落としを行い、該引き落としを該ＧＰＲカードアカウント７１に加える。
【００３９】
該ＧＰＲカードアカウント７１は、一旦、該ユーザのＭａｓｔｅｒカードアカウントから取引金額を取得し、該サードパーティＡＰＩサービスプロバイダ７０は、該支払いトラック６０によって該販売拠点５０に対して取引金額を提供する。上記した取引は、同様に２００μｓの短時間内で完成する。
【００４０】
このほか、該ユーザは、インターネットの仮想端末に対して取引を行い、本発明のＧＰＲカード１０は、インターネット上でＧＰＲカード１０を仮想して取引を起動することもできる。ユーザがネットショップのショッピングカートに必要な商品番号を入れて後続の決済を行う場合、該ネットショップは、ページにユーザへ該ＧＰＲカード１０の固定カード番号１３を入力するよう要求を表示する。
【００４１】
この時、ユーザは、該ＧＰＲカード１０を取り出すことができ、プッシュボタン１２１又はカラータッチスクリーン１１１によって必要な資金供給源４０（例えば、中国ユニオンペイカード）を選択し、該プリセット資金オプション４１とし、該サードパーティＡＰＩサービスプロバイダ７０は、該ＧＰＲカード１０の通知に基づき、同様に中国ユニオンペイカードをプリセットデジタルデータとして設定し、該プリセットデジタルデータの対応する中国ユニオンペイ社と接続し、取引金額を支払う引き落とし要求を伝送する。
【００４２】
続いてユーザは、該ネットショップで該固定カード番号１３を入力し、該ネットショップは、該支払いトラック６０によって該サードパーティＡＰＩサービスプロバイダ７０へ該固定カード番号１３及び取引金額を提供し、該サードパーティＡＰＩサービスプロバイダ７０は、ユニオンペイカードアカウントに該取引金額の引き落としを行い、該引き落としを該ＧＰＲカードアカウント７１に加え、該ネットショップに支払いトラック６０を介して該サードパーティＡＰＩサービスプロバイダ７０に対して該取引金額を取得させることができる。
【００４３】
前記説明から分かるように、本発明は、ユーザに該ＧＰＲカード１０上で直接選択を行わせ、該スマートデバイス３０中に実装するアプリケーションプログラム３１に接続することによって、該プリセット資金オプション４１を間接的に該サードパーティＡＰＩサービスプロバイダ７０に提供する。続いて、該サードパーティＡＰＩサービスプロバイダ７０は、該プリセット資金オプション４１に符合するデジタルデータをプリセットデジタルデータに設定し、該プリセットデジタルデータの対応する発行機構８０に接続し、取引金額を支払う引き落としリクエストを伝送することができる。
【００４４】
このように、ユーザに任意の販売拠点、仮想端末又は仮想販売拠点の取引期間において、該ＧＰＲカード１０のＢＩＮ／ＩＩＮ及びアカウント識別コードによって任意の販売拠点又はネットワーク仮想達末に該サードパーティＡＰＩサービスプロバイダ７０に該ＧＰＲカードアカウント７１の資金供給源４０を探すよう指示させることができ、且つ該ＧＰＲカードアカウント７１中のプリセット資金オプション４１は、ユーザにより随時変更できる。
【符号の説明】
【００４５】
１０  ＧＰＲカード
１１  ディスプレイ
１１１  カラータッチスクリーン
１２  操作インタフェース
１２１  プッシュボタン
１３  固定カード番号
１４  ＥＭＶチップ
１５  伝送ユニット
１６  記憶ユニット
１７  支払いユニット
１８  充電式電池
１９  マイクロプロセッサ
２０  ＢＬＥブルートゥース（登録商標）アンテナ
２１  ＮＦＣアンテナ
２２  ＬＴＥ  ＳＩＭカード
２３  磁気ストリップ
２４  第１経路
２５  第２経路
２６  第３経路
２７  第４経路
３０  スマートデバイス
３１  アプリケーションプログラム
４０  資金供給源
４１  プリセット資金オプション
５０  販売拠点
６０  支払いトラック
７０  サードパーティＡＰＩサービスプロバイダ
７１  ＧＰＲカードアカウント
８０  発行機構
【図１】
2020013423.tif 000003
【図２】
2020013423.tif 000004
【図３】
2020013423.tif 000005
【図４】
2020013423.tif 000006
【図５】
2020013423.tif 000007
【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
単一の固定カード番号を有するオールインワンのＧＰＲカードであって、
スマートデバイスに接続でき、該スマートデバイス中に保存されてユーザが入力した各種異なる取引カードのうちの何れか一種の複数の資金供給源を取得する少なくとも１つの伝送ユニットと、
該複数の資金供給源と単一の固定カード番号を保存する記憶ユニットと、
該ＧＰＲカード表面に設置され、該複数の資金供給源を表示できるディスプレイと、
該ＧＰＲカード表面に設置され、該ユーザに該ディスプレイが表示する複数の資金供給源のうちの１つを選択させる操作インタフェースと、
該固定カード番号を販売拠点に提供できる複数の支払いユニットと、
充電式電池と、
該少なくとも１つの伝送ユニット、記憶ユニット、複数の支払いユニット、ディスプレイ、操作インタフェース及び充電式電池の間に電気接続されるマイクロプロセッサと、
を含み、
該ユーザが該ＧＰＲカードに決定した資金供給源をプリセット資金オプションとし、該伝送ユニットで該プリセット資金オプションと該固定カード番号を、該固定カード番号に基づいて開設され、該ユーザが予め保存した異なる取引カードの資金供給源とその資金供給源にそれぞれ対応する複数のデジタルデータを有するＧＰＲカードアカウントを有するサードパーティＡＰＩサービスプロバイダに提供し、
また、該サードパーティＡＰＩサービスプロバイダが該固定カード番号に対応する該ＧＰＲカードアカウントを探し、該ＧＰＲカードアカウントを新しい設定に適合するプリセット資金オプションに変更することを特徴とするオールインワンのＧＰＲカード。
【請求項２】
前記ユーザは、該ＧＰＲカードに選択を行い、該スマートデバイス中に実装したアプリケーションプログラムに接続することによって、該プリセット資金オプションを間接的に該サードパーティＡＰＩサービスプロバイダに提供する請求項１に記載のオールインワンのＧＰＲカード。
【請求項３】
該サードパーティＡＰＩサービスプロバイダは、該プリセット資金オプションに符合するデジタルデータをプリセットデジタルデータに設定し、該プリセットデジタルデータの対応する発行機構へ接続することができ、取引金額を支払う引き落としリクエストを伝送する請求項１に記載のオールインワンのＧＰＲカード。
【請求項４】
前記少なくとも１つの伝送ユニットは、ＢＬＥ無線ブルートゥース（登録商標）アンテナ、ＥＭＶチップ的ＮＦＣアンテナ及び／又はＬＴＥ  ＳＩＭカードを含む請求項１に記載のオールインワンのＧＰＲカード。
【請求項５】
前記複数の支払いユニットは、磁気ストリップ、ＥＭＶチップ及びＬＴＥ  ＳＩＭカードを含む請求項１に記載のオールインワンのＧＰＲカード。
【請求項６】
前記ディスプレイ及び操作インタフェースにより該ユーザが直接選択を行うことができるタッチスクリーンを構成する請求項１に記載のオールインワンのＧＰＲカード。